(57)【要約】      （修正有）【課題】発光積木における電気接続構造を提供する。【解決手段】中空チューブと、２つの電気接続柱と、圧縮ばねと、環状電気接続ユニット６０とを有する。中空チューブは、上端及び下端にそれぞれ貫通孔が形成され、２つの電気接続柱はそれぞれ、中空チューブの上端及び下端にそれぞれ設置され、それぞれ対応する貫通孔を通って中空チューブから突出する。圧縮ばねは、縦方向に中空チューブ内に位置するように、上端及び下端がそれぞれ２つ電気接続柱と当接すると共に、第一導線５１を備える。環状電気接続ユニットは、中空チューブ上部の外周面に設置され、中空チューブの内周面の縦方向に沿って伸び、中空チューブの底部近傍と対応する位置に折り返し部が形成される第二導線６１を備える。【選択図】図１
0003173981.tif 000002
【実用新案登録請求の範囲】
【請求項１】
それぞれにオス係合部及びメス係合部を備えると共に、それらを係合することによって組み立てられる２つの半ケーシングから構成され、上端及び下端にそれぞれ貫通孔が形成される中空チューブと、
前記中空チューブの上端及び下端にそれぞれ設置されると共に、それぞれ対応する貫通孔を通って該中空チューブから突出する２つの電気接続柱と、
前記中空チューブから外部へ連通する第一導線を備えると共に、縦方向に該中空チューブ内に位置するように、上端及び下端がそれぞれ前記２つ電気接続柱と当接する圧縮ばねと、
前記中空チューブの内周面の縦方向に沿って伸び、該中空チューブの底部近傍と対応する位置に折り返し部が形成される第二導線を備えると共に、該中空チューブ上部の外周面に設置される環状電気接続ユニットと、を有することを特徴とする発光積木の電気接続構造。
【請求項２】
前記中空チューブは、前記２つの半ケーシングを連接するための折り板を有し、前記オス係合部及びメス係合部はそれぞれ、該折り板を中心に反対する側の半ケーシングに形成され、その折り板を折り重ねるようにオス係合部とメス係合部とを係合して組み立てることにより、該２つの半ケーシングを組み合わせることを特徴とする請求項１に記載の発光積木の電気接続構造。
【請求項３】
前記中空チューブの外周面に側部開口が形成され、
前記第一導線は、該側部開口から中空チューブの外部へ延出することを特徴とする請求項１に記載の発光積木の電気接続構造。
【請求項４】
前記電気接続柱は、外径が前記中空チューブの貫通孔より大きいと共に、該中空チューブ内部に位置する大径部と、
外径が前記中空チューブの貫通孔より小さいと共に、該貫通孔に位置する小径部とを備えることを特徴とする請求項１に記載の発光積木の電気接続構造。
【請求項５】
前記環状電気接続ユニットがスプリングであることを特徴とする請求項１に記載の発光積木の電気接続構造。
【考案の詳細な説明】
【技術分野】
【０００１】
本考案は、特に発光積木の電気接続構造に関するものである。
【背景技術】
【０００２】
近年の電子技術や機械技術の発展に伴い、玩具産業では、子供がより楽しめる様々な新製品が次々に開発されているが、伝統的な玩具にも人気を博しているものが多く、例えば、積木はその中の一つであり、主に凹凸の部材を組み合せることによって、多数の積木を積み重ねたり、並べたりして様々な形状に作り上げるものであり、既定の遊び方や規則性がないので、幼児の発想力や想像力を養うと共に、幼児の手や目の訓練にも役立つ。
【０００３】
以前、積木は非常に好評であったが、あまり改良されていないことから、近年では、徐々に廃れてきているので、改良を行なうべきであり、例えば、発光可能な積木などの商品を開発する必要があると考える。
【考案の概要】
【考案が解決しようとする課題】
【０００４】
上述したように、既存の積木は、自由に思いのまま積み重ねることができる玩具であり、様々な組み立て方ができるが、それら積木にライトを組み込んで全体を発光させるものは今まで存在しなかった。故に、本考案は、上述の問題を解決するために、開発されたものであることは明らかである。
【課題を解決するための手段】
【０００５】
本考案に係る発光積木の電気接続構造は、それぞれにオス係合部及びメス係合部を備えると共に、それらを係合することによって組み立てられる２つの半ケーシングから構成され、上端及び下端にそれぞれ貫通孔が形成される中空チューブと、
前記中空チューブの上端及び下端にそれぞれ設置されると共に、それぞれ対応する貫通孔を通って該中空チューブから突出する２つの電気接続柱と、
前記中空チューブから外部へ連通する第一導線を備えると共に、縦方向に該中空チューブ内に位置するように、上端及び下端がそれぞれ前記２つ電気接続柱と当接する圧縮ばねと、
前記中空チューブの内周面の縦方向に沿って伸び、該中空チューブの底部近傍と対応する位置に折り返し部が形成される第二導線を備えると共に、該中空チューブ上部の外周面に設置される環状電気接続ユニットと、を有するものである。
【０００６】
前記中空チューブは、前記２つの半ケーシングを連接するための折り板を有し、前記オス係合部及びメス係合部はそれぞれ、該折り板を中心に反対する側の半ケーシングに形成され、その折り板を折り重ねるようにオス係合部とメス係合部とを係合して組み立てることにより、該２つの半ケーシングを組み合わせることが好ましい。
【０００７】
前記中空チューブの外周面に側部開口が形成され、
前記第一導線は、該側部開口から中空チューブの外部へ延出することが好ましい。
【０００８】
前記電気接続柱は、外径が前記中空チューブの貫通孔より大きいと共に、該中空チューブ内部に位置する大径部と、外径が前記中空チューブの貫通孔より小さいと共に、該貫通孔に位置する小径部とを備えることが好ましい。
【０００９】
前記環状電気接続ユニットがスプリングであってもよい。
【考案の効果】
【００１０】
本考案に係る発光積木の電気接続構造は上記の如く、電気接続構造を有することから、複数の積木を積み重ねる時、積み重ねる積木が発光するので、楽しさを増大させることができる。
【図面の簡単な説明】
【００１１】
【図１】本考案に係る発光積木の部分分解斜視図である。
【図２】本考案に係る発光積木の側面断面図である。
【図３】本考案に係る発光積木の電気接続構造の斜視図である。
【図４】本考案に係る発光積木の電気接続構造の分解斜視図である。
【図５】本考案に係る発光積木の電気接続構造の他の実施例の分解斜視図である。
【図６】本考案に係る複数の発光積木を積み重ねた状態を示す側面断面図である。
【符号の説明】
【００１２】
１０           積木部材
１０１            カバー
１０２            ベース
１１             制御基板
１２             挿嵌部
１３             挿嵌孔
１４             ランプ
１５             貫通孔
２０             電気接続構造
３０             中空チューブ
３１             凸柱部
３２             貫通孔
３３             側部開口
３４             半ケーシング
３５             オス係合部
３５１            凸柱
３６             メス係合部
３６１            凹部
３７             折り板
４０             電気接続柱
４１             大径部
４２             小径部
５０             圧縮ばね
５１             第一導線
６０             環状電気接続ユニット
６１             第二導線
６２             折り返し部
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１及び図２に示すように、本考案に係る発光積木の電気接続構造は、積木部材１０と、複数の電気接続構造２０と、中空チューブ３０と、２つの電気接続柱４０と、圧縮ばね５０と、環状電気接続ユニット６０とを有する。
【００１５】
その内、前記積木部材１０は、中空で透明なブロックであり、制御基板１１と、上部に凸設される複数の円筒状の挿嵌部１２と、底部における、該挿嵌部１２と対応する箇所に形成される複数の挿嵌孔１３と、該制御基板１１に設置される発光素子１４と、該挿嵌部１２及び挿嵌孔１３と対応するように該制御基板１１に形成される複数の貫通孔１５とを有し、本実施例における積木部材１０にはさらに、カバー１０１と、ベース１０２とを備え、該カバー１０１は、該ベース１０２上に設置され、また、該カバー１０１の上部に前記挿接部１２が形成されると共に、該ベース１０２の底部に前記挿接孔１３が形成される。
【００１６】
図３及び図４に示すように、前記各電気接続構造２０は、前記中空チューブ３０を含み、該中空チューブ３０は、上端及び下端にそれぞれ形成される凸柱部３１と、外周面に形成される側部開口３３とを備え、その内、該凸柱部３１は、中央上端から下端にかけて貫通孔３２が形成され、下端が前記積木部材１０の挿嵌孔１３と対応するように前記制御基板１１に挿設されると共に、上端が前記積木部材１０の挿嵌部１２と対応するように位置する。更に、中空チューブ３０は、２つの半ケーシング３４から構成され、その１つの半ケーシング３４にオス係合部３５が形成され、もう１つの半ケーシング３４にメス係合部３６が形成され、それらオス係合部３５とメス係合部３６とが係合することによって、２つの半ケーシング３４を組み立てる仕組みである。
【００１７】
本実施例における中空チューブ３０にはさらに、２つの半ケーシング３４を連接するための折り板３７を有し、前記オス係合部３５及びメス係合部３６はそれぞれ、折り板３７を中心に反対する側の半ケーシング３４に形成され、また、該オス係合部３５に凸柱３５１が設けられると共に、該メス係合部３６に凹部３６１が形成され、その折り板３７を折り畳んでオス係合部３５の凸柱３５１をメス係合部３６の凹部３６１に挿嵌することによって、その２つの半ケーシング３４を組み合わせる。
【００１８】
なお、図５に示すように、他の実施例においては、各半ケーシング３４における、内面の相対する位置にそれぞれ係合可能なオス係合部３５及びメス係合部３６が設けられ、その内、該オス係合部３５には、凸柱３５１が設けられると共に、該メス係合部３６には、凹部３６１が形成される。そして、それら２つの半ケーシング３４を組み合わせる時には、一方の半ケーシング３４におけるオス係合部３５の凸柱３５１と他方の半ケーシング３４におけるメス係合部３６の凹部３６１を係合すると共に、一方の半ケーシング３４におけるメス係合部３６の凹部３６１と他方の半ケーシング３４におけるオス係合部３５の凸柱３５１とを係合することによって、該２つの半ケーシング３４を組み合わせる。
【００１９】
前記２つの電気接続柱４０はそれぞれ、対応する貫通孔３２を通って中空チューブ３０から突出するように、該中空チューブ３０の上端及び下端に設置され、その内、該中空チューブ３０の上端の電気接続柱４０は、挿嵌部１２と対応するように突出すると共に、該中空チューブ３０の下端の電気接続柱４０は、挿嵌孔１３と対応するように突出する。尚、本実施例における電気接続柱４０は、外径が前記中空チューブ３０の貫通孔３２より大きいと共に、該中空チューブ３０内部に位置する大径部４１と、外径が前記中空チューブ３０の貫通孔３２より小さいと共に、該貫通孔３２に位置する小径部４２とを備えるものである。
【００２０】
前記圧縮ばね５０は、縦方向に前記中空チューブ３０内部に設置され、その上端及び下端がそれぞれ前記２つの電気接続柱４０の大径部４１に当接され、小径部４２は中空チューブ３０から外部へ突出し、更に、該圧縮ばね５０は、前記中空チューブ３０の側部開口３３を通って外部へ延出して前記制御基板１１と電気接続する第一導線５１を有する。
【００２１】
前記環状電気接続ユニット６０は、前記中空チューブ３０の上部の凸柱部３１の外周面に、前記挿接部１２の内周面と対応するように設置される第二導線６１を有し、該第二導線６１は、長さが該中空チューブ３０より長く、また、前記中空チューブ３０の内周面の縦方向に沿って伸び、前記制御基板１１の底部を通過して前記挿嵌孔１３と対応する部分で折り返されて該制御基板１１と電気接続する折り返し部６２が設けられる。尚、本実施例における環状電気接続ユニット６０は、スプリングであることが好ましい。
【００２２】
図６に示すように、本考案における発光積木の電気接続構造においては、複数の積木を積み重ねるために、発光積木の挿接部１２を他の発光積木の積木部材１０の挿嵌孔１３に挿設する時、各発光積木の挿嵌部１２中央に位置する電気接続柱４０が、対応する積木部材１０の挿嵌孔１３に位置する電気接続柱４０と接触して、それぞれ対応する積木部材１０の制御基板１１に接続する第一導線５１が圧縮ばね５０と連接することから、各第一導線５１は、圧縮ばね５０及び電気接続柱４０を介して電気接続される。また、前記挿嵌孔１３近傍の第二導線６１の折り返し部６２は、対応する挿嵌部１２に挿入して挿接部１２の内周面の環状電気接続ユニット６０と接触するので、各積木部材１０に接触する制御基板１１及び第二導線６１は、環状電気接続ユニット６０及び折り返し部６２を介して電気接続される。
【００２３】
上述したように、各積木部材１０の制御基板１１はそれぞれ、第一導線５１及び第二導線６１を介して並列するように電気接続され、その中の１つの電気接続構造２０の第一導線５１及び第二導線６１がそれぞれ電源の正極及び負極と電気接続されると、その複数の発光積木の制御基板１１に電力を供給して点灯させることができる。
【産業上の利用可能性】
【００２４】
本考案は上記の構成を有し、複数の積木を積み重ねた時、その電気接続構造を有することから、それら積木に通電可能な電源回路ができ、積み重ねた積木を発光させることができるので、玩具の楽しさを増大させることができる。
【図１】
0003173981.tif 000003
【図２】
0003173981.tif 000004
【図３】
0003173981.tif 000005
【図４】
0003173981.tif 000006
【図５】
0003173981.tif 000007
【図６】
0003173981.tif 000008